(57)【要約】【課題】原水及び浄水の重量を手で支えること無くろ過できると共に、容易に浄水をペットボトルに貯留できる浄水器を提供する。【解決手段】原水をろ過して浄水を、浄水容器Ｂの口部分Ｂｏに供給する浄水器１Ａ、１Ｂ、１Ｃは、原水が供給される原水入口１２と、前記供給された原水をろ過して浄水を生成するろ材充填部２０、２０Ｂ、２０Ｃと、生成された浄水を吐出する浄水出口３０と、前記口部分Ｂｏと前記浄水出口３０とを接続する接続部３２と、前記浄水出口３０と当該浄水器１の外部とを連通する連通管４０Ａ、４０Ｂ、４０Ｃとを備える。【選択図】図２
2014004563.tif 000002
【特許請求の範囲】
【請求項１】
原水をろ過して浄水を、浄水容器の口部分に供給する浄水器であって、
原水が供給される原水入口と、
前記供給された原水をろ過して浄水を生成するろ材充填部と、
生成された浄水を吐出する浄水出口と、
前記口部分と前記浄水出口とを接続する接続部と、
前記浄水出口と当該浄水器の外部とを連通する連通管とを備える浄水器。
【請求項２】
前記接続部は、前記口部分の外周に設けているおねじと螺合可能に、前記浄水出口の内周に設けられるめねじであることを特徴とする、請求項１に記載の浄水器。
【請求項３】
前記原水入口は水道水栓に接続可能であることを特徴とする、請求項１及び請求項２の何れかに記載の浄水器。
【請求項４】
前記ろ材充填部よりも上方に、原水を貯留する原水貯留部を有することを特徴とする、請求項１及び請求項２の何れかに記載の浄水器。
【請求項５】
前記原水貯留部は伸縮可能であることを特徴とする請求項４に記載の浄水器。
【請求項６】
前記原水貯留部は複数の部材で構成され、組立分解可能であることを特徴とする請求項４及び請求項５の何れかに記載の浄水器。
【請求項７】
前記連通管の一端が前記原水貯留部の上面近傍に位置し、他端が前記浄水出口の近傍に位置することを特徴とする、請求項４、５、及び６の何れかに記載の浄水器。
【請求項８】
前記ろ材充填部は、
原水をろ過するろ材と、
前記ろ材を挟持して保持するろ材保持部材と、
前記保持されたろ材を前記ろ材保持部材と共に収容するろ材収容部とを備える、請求項１、２、３、４、５、６及び７の何れかに記載の浄水器。
【請求項９】
前記連通管がろ材充填部を貫通することを特徴とする、請求項１、２、３、４、５、６、７、及び８の何れかに記載の浄水器。
【請求項１０】
前記連通管は着脱可能であることを特徴とする請求項１、２、３、４、５、６、７、８、及び９の何れかに記載の浄水器。
【発明の詳細な説明】
【技術分野】
【０００１】
本発明は、浄水器に関する。
【背景技術】
【０００２】
従来から、特許文献１に記載されているような、水道蛇口に取り付けて原水である水道水を浄水カートリッジでろ過して浄水出口から吐出する浄水器が知られている。また、特許文献２に記載されているような、一度容器に貯めた水道水を浄水カートリッジでろ過して、得られる浄水を貯留する浄水器も知られている。
【先行技術文献】
【特許文献】
【０００３】
【特許文献１】特開２００２−２１０４５７号公報
【特許文献２】特開２０１０−１６２５１３号公報
【発明の概要】
【発明が解決しようとする課題】
【０００４】
浄水を持ち運ぶために市販のペットボトルを使う場合、特許文献１に記載されているような蛇口直結型浄水器では、水道水をろ過しながら浄水出口にペットボトルの口を合わせて浄水を貯めれば良い。しかしながら、大きなペットボトルに浄水を貯めるには、長時間、徐々に重くなっていくペットボトルを持っておかなければならず、重さに耐えきれなくて浄水をこぼしてしまうという問題点があった。
【０００５】
また特許文献２に記載されているようなポット・ピッチャー型浄水器では、水道水のろ過が完了してから、浄水器の注ぎ口をペットボトルの口に合わせて浄水を注ぎ入れれば良い。しかしながら、ペットボトルの口は浄水器の注ぎ口に比べて小さく、注意深くゆっくり注ぎ入れる必要がある。浄水を貯めて重くなった浄水器を、長時間、傾けながら持たなければならず、重さに耐えきれなくて浄水をこぼしてしまうという問題点があった。
【０００６】
本発明の目的は、上述のような問題点に鑑み、原水及び浄水の重量を手で支えること無く原水をろ過できると共に、容易に浄水をペットボトルに貯留できる浄水器を提供することにある。
【課題を解決するための手段】
【０００７】
上記の課題を解決する為に、本発明に係る浄水器は、原水をろ過して浄水を、浄水容器の口部分に供給する浄水器であって、原水が供給される原水入口と、前記供給された原水をろ過して浄水を生成するろ材充填部と、生成された浄水を吐出する浄水出口と、前記口部分と前記浄水出口とを接続する接続部と、前記浄水出口と当該浄水器の外部とを連通する連通管とを備える。
【発明の効果】
【０００８】
本発明に係る浄水器によると、浄水中に浄水容器をユーザーが持つ必要がない。また、得られた浄水が浄水容器に直接供給されるので、浄水を貯留して重量が増加した浄水器から浄水容器に浄水を注ぎ入れる作業が不要となる。
【図面の簡単な説明】
【０００９】
【図１】本発明の実施の形態１に係る浄水器が浄水容器に取り付けられている状態を示す斜視図である。
【図２】図１の浄水器の内部構造を示す縦断面図である。
【図３】本発明の実施の形態２に係る浄水器の内部構造を示す縦断面図である。
【図４】図３において、浄水器を直線ＩＶ−ＩＶで切った横断面図である。
【図５】本発明の実施の形態３に係る浄水器の内部構造を示す縦断面図である。
【発明を実施するための形態】
【００１０】
（実施の形態１）
以下に図１及び図２を参照して、本発明の実施の形態１に係る浄水器について説明する。図１に示すように、浄水器１Ａは、ペットボトル等の浄水の貯留に用いられる容器（以降、「浄水容器」）Ｂに取り付けられた状態で上部の原水入口（開口部）１２から注ぎ込まれた原水（本例においては、水道水）をろ過し、得られた浄水を浄水容器Ｂに供給する。浄水器１Ａは、原水入口１２と、ろ材充填部２０と、浄水出口３０と、連通管４０Ａとを含む。浄水器１Ａは全体として、複数の円柱状の部材がその中心軸を共有して連結されたような形状を有する。なお、中心軸を共有して連結できる形状であれば円柱状でなくても良い。
【００１１】
原水入口１２は、浄水器１Ａに対する原水の供給に使用される。本実施の形態においては、原水入口１２は、原水の貯留に用いられる原水貯留部１０の上端部の開口として設けられている。原水貯留部１０は、ろ材充填部２０の上方に配置されている。ろ材充填部２０は供給された原水のろ過に用いられ、内部にはろ過に使用されるろ材が充填されている。
【００１２】
浄水出口３０からは、ろ過によって得られた浄水が吐出される。浄水出口３０は、浄水容器Ｂである市販のペットボトルの口部分Ｂｏに接続可能に構成されている。以降、本明細書において、必要に応じて浄水容器ＢをペットボトルＢと称する。連通管４０Ａは、後ほど説明するように、浄水出口３０と浄水器１Ａの外部とを連通している。図１において矢印で示すように、連通管４０Ａは、ペットボトルＢの内部の空気を浄水器１Ａの外部に排出するのに用いられる。
【００１３】
上記のように構成された浄水器１Ａは、浄水容器Ｂに取り付けられた状態で原水をろ過して、得られた浄水を浄水容器Ｂに直接供給することができる。また、浄水容器Ｂとして市販のペットボトルを利用することができる。
【００１４】
図２を参照して、浄水器１Ａの構造について説明する。原水貯留部１０は側壁１０ｓと底部１０ｂとを含む。原水貯留部１０の上端部に原水入口１２が設けられている。ろ材充填部２０は原水貯留部１０の下方に位置し、原水貯留部１０の底部１０ｂから延出される側壁２０ｓと、底部２０ｂと、フィルター部Ｆａとを含む。フィルター部Ｆａは、ろ材２２と、一対のろ材保持部材２４及び２４と、ろ過膜２６とを含む。ろ材２２は、一対のろ材保持部材２４及び２４によって規定される空間の内部に充填される。つまり、ろ材保持部材２４及び２４は、ろ材２２を挟持して保持される。ろ材保持部材２４及び２４によって保持されたろ材２２は、側壁２０ｓ及び底部２０ｂによって構成されるろ材収容部に収容される。
【００１５】
ろ材２２として、例えば活性炭やイオン交換体が用いられる。ろ過膜２６は、ろ材保持部材２４の上にそれぞれ配置されている。ろ過膜２６として、例えばメッシュクロスや不織布が用いられる。ろ過膜２６は、ろ材保持部材２４に一体的に形成されていてもよい。
【００１６】
浄水出口３０は、ろ材充填部２０の下方に位置し、ろ材充填部２０の底部２０ｂから延出される側壁３０ｓを含む。浄水出口３０は、上述のように市販のペットボトルＢの口部分Ｂｏに接続可能に構成されている。ペットボトルＢの口部分ＢｏにはおねじＢｓが形成されている。浄水出口３０の内壁には、ペットボトルＢのおねじＢｓと係合する接続部であるめねじ３２が一体的に形成されている。なお、接続部は、浄水出口３０と別部材として構成してもよい。浄水出口３０をペットボトルＢの口部分Ｂｏに接続する際には、浄水出口３０のめねじ３２と、ペットボトルＢのおねじＢｓとが螺合する。この構成により、浄水器１ＡをペットボトルＢの口部分Ｂｏに確実に取り付けることができる。
【００１７】
なお、ろ材充填部２０の側壁２０ｓは、原水貯留部１０の底部１０ｂに一体的に形成されるものであってもよいし、底部１０ｂと別体として形成され、別途底部１０ｂと接続されるものであってもよい。また、浄水出口３０は、ろ材充填部２０の底部２０ｂに一体的に形成されるものであってもよいし、底部２０ｂと別体として形成され、別途底部２０ｂと接続されるものであってもよい。ろ材充填部２０の側壁２０ｓと底部２０ｂとがそれぞれ、原水貯留部１０及び浄水出口３０と別体である場合は、必要に応じてろ材充填部２０を浄水器１Ａから取り外して交換することが可能である。
【００１８】
連通管４０Ａは、ペットボトルＢの内部の空気を浄水器１Ａの外部に排出する為に設けられている。連通管４０Ａは略直線状の中空管に形成されて、浄水器１Ａの中心軸Ａｘに沿って、原水貯留部１０と、ろ材充填部２０と、浄水出口３０とを貫通するように配置されている。また連通管４０Ａは、その一端４２が原水貯留部１０の上面近傍に位置し、他端４４が浄水出口３０の近傍に位置するように配置されている。
【００１９】
より詳しく述べると、連通管４０Ａの一端４２は、原水貯留部１０の上端面と略同じ高さに配置されている。なお、連通管４０Ａは、ペットボトルＢの空気を外部に排出することができれば、他の形状及び配置をとっても良いことは言うまでも無い。例えば、一端４２は、原水貯留部１０の上端面よりも上の位置に配置されていてもよいし、他端４４は、浄水出口３０に連通するペットボトルＢの口部分ＢｏまたはペットボトルＢの内部に配置されていてもよい。
【００２０】
さらに、連通管４０Ａは途中に蛇腹部分を有していてもよい。特に蛇腹部分を縮めると一端４２が原水貯留部１０の上端面より下に配置され、蛇腹部分を伸ばせば一端４２が原水貯留部１０の上端面より上に配置されるようにすれば、未使用時には、上端面に蓋をしても連通管４０Ａを原水貯留部１０内に収納できる。また、使用時には上端面より一端４２を上に配置できるので、連通管４０Ａに原水が流れ込みにくいという効果を得ることができる。また同様の効果は、連通管４０Ａの全部若しくは一部に可撓性を持たせても得ることができる。なお、連通管４０Ａは、ろ材充填部２０に対して着脱可能に構成してもよい。着脱可能であると、収納に便利であるし、連通管４０Ａが汚れた際に取り外して洗浄することができる。
【００２１】
上記のように構成された浄水器１Ａにおいて、原水貯留部１０に供給された原水は、その自重によってろ材充填部２０に供給されてろ過される。つまり、原水はその自重により自然落水し、ろ過によって得られた浄水は、浄水出口３０からペットボトルＢに直接供給されて、貯留される。この際、ペットボトルＢの内部の空気は、連通管４０Ａの内部を通過して浄水器１Ａの外部に排出されるので、浄水器１ＡとペットボトルＢが液密に連結されていても、原水貯留部１０の原水はスムースにペットボトルＢ中に落下する。
【００２２】
なお、原水貯留部１０を伸縮可能な構成として、原水貯留部１０の体積及び容積が可変であるようにしてもよい。例えば、原水貯留部１０を、その側壁が蛇腹状で伸縮する構成とすることができる。
【００２３】
また、原水貯留部１０を、分解可能な複数の部材からなる構成として、原水貯留部１０の体積及び容積が可変であるようにしてもよい。例えば、原水貯留部１０が複数の部材を含み、それら複数の部材の一部または全部を組み立てることにより、原水貯留部１０が構成されるようにすることができる。
【００２４】
上述の浄水器１Ａによると、ろ過中に浄水容器Ｂをユーザーが持つ必要がない。つまり、浄水の貯留に伴って増加する水（浄水）の重量をユーザーが支える必要がない。また、得られた浄水が浄水容器Ｂに直接供給されるので、浄水を貯留して重量が増加した浄水器から浄水容器Ｂに浄水を注ぎ入れる作業が不要となる。
【００２５】
（実施の形態２）
以下に図３及び図４を参照して、本発明の実施の形態２に係る浄水器について説明する。浄水器１Ｂは、連通管４０Ａ及びろ材充填部２０がそれぞれ、連通管４０Ｂ及びろ材充填部２０Ｂに置き換えられる点を除いて上述の浄水器１Ａと同様に構成されている。以降、連通管４０Ｂ及びろ材充填部２０Ｂに関して重点的に述べる。
【００２６】
連通管４０Ｂは、上述の連通管４０Ａと同様に中空管であり、原水貯留部１０と、ろ材充填部２０Ｂと、浄水出口３０とを貫通するように配置されている。但し連通管４０Ｂは、図３及び図４に示すように、原水貯留部１０の側壁１０ｓの内面、底部１０ｂの内面、ろ材充填部２０Ｂの側壁２０Ｂｓの内面、及びろ材保持部材２４の下面に沿うように配置されている。
【００２７】
言い換えると連通管４０Ｂは、浄水器１Ｂの中心軸Ａｘに略平行な方向に延在する連通管部分４０Ｂｖ１、４０Ｂｖ２、及び４０Ｂｖ３と、中心軸Ａｘに略直交する方向に延在する連通管部分４０Ｂｈ１及び４０Ｂｈ２とを含む。連通管部分４０Ｂｖ１と４０Ｂｖ２とは連通管部分４０Ｂｈ１によって、連通管部分４０Ｂｖ２と４０Ｂｖ３とは連通管部分４０Ｂｈ２によってそれぞれ連結されて、連通管４０Ｂが構成されている。
【００２８】
上述のように連通管４０Ｂを構成及び配置することにより、連通管４０Ｂは側壁１０ｓの内面、底部１０ｂの内面、及び側壁２０Ｂｓの内面によって支持され、安定した状態で配置される。上述の連通管４０Ａにおいては、ろ材保持部材２４より上部に位置する部分がフリーであるのに対して、連通管４０Ｂでは側壁１０ｓ、底部１０ｂ及び側壁２０Ｂｓのそれぞれの内面で支えられているので、注がれる原水の揺らぎなどに対する安定が図れる。結果、ろ材保持部材２４より下部に位置する連通管４０Ｂのフリー部分も浄水の揺らぎに対してもより安定する。
【００２９】
ろ材充填部２０Ｂは、上述のろ材充填部２０と基本的に同様に構成されている。但し、ろ材充填部２０Ｂはその内部に、連通管４０Ｂの連通管部分４０Ｂｖ２と４０Ｂｈ２とを収容する。そのため、ろ材充填部２０Ｂの側壁２０Ｂｓは、上述のろ材充填部２０の側壁２０ｓに比して、連通管部分４０Ｂｈ２を収容する分だけ長く構成されている。
【００３０】
（実施の形態３）
以下に図５を参照して、本発明の実施の形態３に係る浄水器について説明する。図５に示すように、浄水器１Ｃは、上述の原水貯留部１０を備えず、原水入口が水道水栓１００に取り付けられた状態で使用される。つまり、原水貯留部１０の代わりに水道水栓１００を用いる構成と言え、これについて以下に詳述する。浄水器１Ｃは、上述の実施の形態１に係る浄水器１Ａにおいて、原水入口１２、ろ材充填部２０、連通管４０Ａ、及び浄水出口３０がそれぞれ、原水入口１２Ｃ、ろ材充填部２０Ｃ、連通管４０Ｃ、及び浄水出口３０Ｃに置き換えられると共に、取付部５０を新たに備えている。以降、取付部５０、原水入口１２Ｃ、ろ材充填部２０Ｃ、連通管４０Ｃ、及び浄水出口３０Ｃに関して重点的に述べる。
【００３１】
ろ材充填部２０Ｃは、上述のろ材充填部２０と基本的に同様に構成されている。但し、ろ材充填部２０Ｃは、側壁２０ｓの上端から延出される上部２０ｕと、上部２０ｕの上面から延出される上部側壁２０ｓｕとをさらに含む。原水入口１２Ｃは、ろ材充填部２０Ｃの上端部、つまり上部２０ｕに設けられている。上部側壁２０ｓｕの内面には、リング状のパッキングＰｋが装着されている。
【００３２】
浄水器１Ｃにおいて、ろ材充填部２０Ｃの上方に取付部５０が設けられている。取付部５０は、浄水器１Ｃを、パッキングＰｋを介して水道水栓１００に水密に取り付けるのに用いられる。つまり、リング状のパッキングＰｋは、取付部５０の押え部Ｒｅと、ろ材充填部２０Ｃの上部２０ｕの上面との間で、浄水器１Ｃの中心軸Ａｘ方向に押しつぶされることによって、水道水栓１００と原水入口１２Ｃとを水密に接続する。
【００３３】
連通管４０Ｃは、上述の連通管４０Ａ及び連通管４０Ｂと同様に中空管である。但し連通管４０Ｃは、ろ材充填部２０Ｃを貫通せずに、浄水器１Ｃの中心軸Ａｘに沿って浄水出口３０Ｃを貫通するように配置されている。さらに、連通管４０Ｃの一端４２Ｃは、浄水出口３０Ｃの側壁３０Ｃｓに形成された開口Ｏｐから、浄水出口３０Ｃの外部に向かって延出されている。言い換えると連通管４０Ｃは、中心軸Ａｘに略平行な方向に延在する連通管部分４０Ｃｖ１と、中心軸Ａｘに略直交する方向に延在する連通管部分４０Ｃｈ１とを含む。
【００３４】
浄水出口３０Ｃは、上述の浄水出口３０と基本的に同様に構成されている。但し浄水出口３０Ｃはその内部に、連通管４０Ｃの連通管部分４０Ｃｖ１と４０Ｃｈ１とを収容する。そのため、浄水出口３０Ｃの側壁３０Ｃｓは、上述の浄水出口３０の側壁３０ｓに比して連通管部分４０Ｃｈ１を収容する分だけ長く構成されている。
【００３５】
なお、連通管４０Ｃは、浄水出口３０Ｃに対して着脱可能に構成してもよい。連通管４０Ｃを浄水出口３０Ｃから取り外した場合は、ペットボトルＢの内部の空気は、浄水出口３０Ｃの側壁３０Ｃｓに形成された開口Ｏｐを通じて、浄水器１Ｃの外部に排出される。
【００３６】
浄水器１Ｃにおいては、原水（水道水）が水道水栓１００から所定の圧力を有する噴流としてろ材充填部２０Ｃに流入してろ過されるので、自然落水でろ材充填部２０或いはろ材充填部２０Ｂに流入してろ過される浄水器１Ａ及び浄水器１Ｂに比べて、より短い時間で同量の浄水を得ることができる。さらに、原水貯留部１０を不要としているで、浄水器１Ｃは浄水器１Ａ及び浄水器１Ｂに比べてその体積が著しく小さく、携帯性に富む。
【産業上の利用可能性】
【００３７】
本発明は、主に家庭で水道水のろ過に用いられる浄水器に利用することができる。
【符号の説明】
【００３８】
１Ａ、１Ｂ、１Ｃ  浄水器
１０  原水貯留部
１０ｓ、２０ｓ、２０Ｂｓ、３０ｓ、３０Ｃｓ  側壁
１０ｂ、２０ｂ  底部
２０ｕ  上部
２０ｓｕ  上部側壁
１２、１２Ｃ  原水入口（開口部）
２０、２０Ｂ、２０Ｃ  ろ材充填部
Ｆａ  フィルター部
２２  ろ材
２４  ろ材保持部材
２６  ろ過膜
３０、３０Ｃ  浄水出口
３２  接続部（めねじ）
４０Ａ、４０Ｂ、４０Ｃ  連通管
４２、４２Ｃ  連通管の一端
４４  連通管の他端
４０Ｂｖ１、４０Ｂｖ２、４０Ｂｖ３、４０Ｃｖ１  連通管部分
４０Ｂｈ１、４０Ｂｈ２、４０Ｃｈ１  連通管部分
５０  取付部
Ｐｋ  パッキング
Ｒｅ  押え部
Ｂ  浄水容器（ペットボトル）
Ｂｏ  口部分
Ｂｓ  おねじ
Ｏｐ  開口
１００  水道水栓
Ａｘ  中心軸
【図１】
2014004563.tif 000003
【図２】
2014004563.tif 000004
【図３】
2014004563.tif 000005
【図４】
2014004563.tif 000006
【図５】
2014004563.tif 000007